(57)【要約】【課題】利用者がいるときでも離れた位置で虚像の表示内容を確認できる虚像表示装置を提供する。【解決手段】画像を表示する表示面２１を有する表示装置２０と、表示装置２０を制御する制御装置１１０と、表示面２１から射出される画像光を第１領域７１に到達させる第１光路５１に沿って位置し、画像を虚像３１として投影する複数の第１光学部材４１とを備え、第１光学部材４１の少なくとも１つは、第１光路５１を経る画像光の少なくとも一部を透過させ、透過光を第１領域７１と異なる第２領域７２に到達させる第２光路５２に位置する。【選択図】図１
2018036342.tif 000002
【特許請求の範囲】
【請求項１】
画像を表示する表示面を有する表示装置と、
前記表示装置を制御する制御装置と、
前記表示面から射出される画像光を第１領域に到達させる第１光路に沿って位置し、前記画像を虚像として投影する複数の第１光学部材と
を備え、
前記複数の第１光学部材の少なくとも１つは、前記第１光路を経る画像光の少なくとも一部を透過させ、透過光を前記第１領域と異なる第２領域に到達させる第２光路に位置する
虚像表示装置。
【請求項２】
前記第２光路に位置する第２光学部材をさらに備える、請求項１に記載の虚像表示装置。
【請求項３】
人物を特定する人物検知装置をさらに備え、
前記制御装置は、前記特定された人物が所定の人物である場合に、前記表示装置に所定の内容を表示させる、請求項１又は２に記載の虚像表示装置。
【請求項４】
前記第１領域の最も近くに位置する第１光学部材は、前記第１領域に前記画像光が到達する第１の状態と、前記第１領域に前記画像光が到達せず、且つ、前記第２領域に前記透過光が到達する第２の状態との間で切り替え可能に構成され、
前記制御装置は、前記特定された人物が所定の人物である場合に、前記第１領域の最も近くに位置する第１光学部材を前記第２の状態に切り替える、請求項３に記載の虚像表示装置。
【請求項５】
前記第２領域に前記透過光を結像させるスクリーンをさらに備える、請求項１乃至４いずれか一項に記載の虚像表示装置。
【請求項６】
画像を表示する表示面を有する表示装置と、
前記表示装置を制御する制御装置と、
前記表示面から射出される画像光を第１領域に到達させる第１光路に沿って位置し、前記画像を虚像として投影する複数の第１光学部材と
を有し、
前記複数の第１光学部材の少なくとも１つは、前記第１光路経る画像光の少なくとも一部を透過させ、透過光を前記第１領域と異なる第２領域に到達させる第２光路に位置する、虚像表示装置と、
利用者に遊技を提供する遊技盤と
を備え、
前記第１領域は、前記利用者の目が存在しうる領域である
遊技装置。
【発明の詳細な説明】
【技術分野】
【０００１】
本発明は、虚像表示装置及び遊技装置に関する。
【背景技術】
【０００２】
従来、遊技台で用いられる表示装置において、画像をハーフミラーに投影して虚像として表示させる構成が知られている（例えば、特許文献１参照）。
【先行技術文献】
【特許文献】
【０００３】
【特許文献１】特開２００８−１５５０６５号公報
【発明の概要】
【発明が解決しようとする課題】
【０００４】
表示装置による虚像の表示内容を確認するためには、虚像を視認する必要がある。虚像を視認できる領域は狭いので、仮に他者が利用者と同時に虚像を視認しようとした場合、利用者の頭部に近づくことになる。利用者は、他者が頭部に近づいた場合、他者の接近に気づいたり、不快感を受けたりする。利用者が虚像を視認している間に、利用者以外の者が虚像を視認して表示内容を確認することは難しい。利用者がいないときに虚像の表示内容を確認するようにした場合、確認を行う時間帯が制限される。
【０００５】
本発明は、上述の点に鑑みてなされたものであり、利用者がいるときでも離れた位置で虚像の表示内容を確認できる虚像表示装置及び遊技装置を提供することを目的とする。
【課題を解決するための手段】
【０００６】
本開示の一実施形態に係る虚像表示装置は、画像を表示する表示面を有する表示装置と、前記表示装置を制御する制御装置とを備える。前記虚像表示装置は、前記表示面から射出される画像光を第１領域に到達させる第１光路に沿って位置し、前記画像を虚像として投影する複数の第１光学部材を備える。前記複数の第１光学部材の少なくとも１つは、前記第１光路を経る画像光の少なくとも一部を透過させる。前記第１光学部材の少なくとも１つは、透過光を前記第１領域と異なる第２領域に到達させる第２光路に位置する。
【０００７】
本開示の一実施形態に係る遊技装置は、虚像表示装置と、利用者に遊技を提供する遊技盤とを備える。前記虚像表示装置は、画像を表示する表示面を有する表示装置と、前記表示装置を制御する制御装置とを備える。前記虚像表示装置は、前記表示面から射出される画像光を第１領域に到達させる第１光路に沿って位置し、前記画像を虚像として投影する複数の第１光学部材を備える。前記複数の第１光学部材の少なくとも１つは、前記第１光路を経る画像光の少なくとも一部を透過させる。前記第１光学部材の少なくとも１つは、透過光を前記第１領域と異なる第２領域に到達させる第２光路に位置する。前記第１領域は、前記利用者の目が存在しうる領域である。
【発明の効果】
【０００８】
本開示の一実施形態に係る虚像表示装置及び遊技装置によれば、利用者がいるときでも離れた位置で虚像の表示内容を確認できる。
【図面の簡単な説明】
【０００９】
【図１】実施形態１に係る遊技装置の構成例を示す図である。
【図２】図１の遊技装置の機能ブロック図である。
【図３】実施形態２に係る遊技装置の構成例を示す図である。
【図４】実施形態３に係る遊技装置の構成例を示す図である。
【図５】実施形態４に係る遊技装置の構成例を示す図である。
【図６】図５の虚像表示装置の機能ブロック図である。
【図７】実施形態５に係る遊技装置の構成例を示す図である。
【図８】図７で投影側光学部材が傾動した場合の構成例を示す図である。
【図９】図７の虚像表示装置の機能ブロック図である。
【図１０】実施形態６に係る遊技装置の構成例を示す図である。
【発明を実施するための形態】
【００１０】
（実施形態１）
以下、一実施形態に係る遊技装置及び虚像表示装置について、図面を参照しながら詳細に説明する。以下の説明で用いられる図は模式的なものである。図面上の寸法比率等は、現実のものとは必ずしも一致していない。
【００１１】
［装置構成］
図１に示されるように、本実施形態に係る遊技装置１は、虚像表示装置１０と、遊技筐体６０とを備える。遊技装置１の利用者は、遊技筐体６０の前で着席したり、立ったりして、遊技装置１を利用する。
【００１２】
虚像表示装置１０は、画像表示装置２０と、第１光学部材４１ａ、４１ｂ及び４１ｃとを備える。第１光学部材４１ａ、４１ｂ及び４１ｃは、まとめて第１光学部材４１ともいう。
【００１３】
画像表示装置２０は、表示面２１を有し、表示面２１に画像を表示する。表示面２１に表示される画像のことを、原画像ともいう。画像表示装置２０は、原画像に係る画像光を射出する。画像表示装置２０は、例えば、ＬＣＤ（Liquid Crystal Display）等の液晶デバイスであってよい。画像表示装置２０が液晶デバイスである場合、原画像の輝度は、バックライトの輝度によって制御されうる。画像表示装置２０は、バックライトを含んでよい。画像表示装置２０は、有機ＥＬ（Electro-Luminescence）又は無機ＥＬ等の自発光デバイスであってよい。画像表示装置２０が自発光デバイスである場合、原画像の輝度は、発光輝度によって制御されうる。画像表示装置２０は、単に表示装置２０ともいう。
【００１４】
第１光学部材４１は、画像表示装置２０から射出される画像光を反射又は屈折させることによって、画像光の第１光路５１を形に成す。第１光路５１は、破線で示される。第１光学部材４１は、例えばミラー又はハーフミラー等の反射部材であってよい。第１光学部材４１は、誘電体多層膜等の増反射膜を有する反射部材であってよい。第１光学部材４１の反射率は、種々の値とされてよい。第１光学部材４１の反射率は、例えば５０％程度の値とされてよいし、１００％に近い値とされてよい。第１光学部材４１は、例えば屈折部材であってよい。この屈折部材は、プリズム、レンズ等を含む。第１光学部材４１は、パワーを有してよく、例えば、凹面鏡であってよい。図１において、第１光学部材４１の数は３個であるが、これに限られず、１個又は２個であってよいし、４個以上であってよい。
【００１５】
第１光路５１は、表示面２１から、第１領域７１に到達する。第１領域７１は、遊技装置１が利用されている際に、利用者の目４が存在しうる領域である。画像表示装置２０から射出される画像光の少なくとも一部は、第１光路５１に沿って進み、第１光路５１を経て利用者の目４に到達する。遊技装置１の利用者は、第１光学部材４１ｃに映る原画像を虚像３１として認識する。言い換えれば、第１光学部材４１は、原画像を虚像３１として第１領域７１に投影する。第１光学部材４１ａは、第１光路５１に沿って、画像表示装置２０の最も近くに位置する。第１光学部材４１ａは、表示側光学部材ともいう。第１光学部材４１ｃは、第１光路５１に沿って、画像光が到達する第１領域７１の最も近くに位置する。第１光学部材４１ｃは、投影側光学部材ともいう。
【００１６】
図２に示されるように、虚像表示装置１０は、制御装置１１０をさらに備える。制御装置１１０は、画像表示装置２０に電気的に接続される。制御装置１１０は、画像表示装置２０を制御する。制御装置１１０は、画像表示装置２０に任意の画像を表示させ、画像光を射出させる。
【００１７】
制御装置１１０は、１以上のプロセッサを含む。プロセッサは、特定のプログラムを読み込ませて特定の機能を実行する汎用のプロセッサ、および特定の処理に特化した専用のプロセッサを含んでよい。専用のプロセッサは、特定用途向けＩＣ（ＡＳＩＣ；Application Specific Integrated Circuit）を含んでよい。プロセッサは、プログラマブルロジックデバイス（ＰＬＤ；Programmable Logic Device）を含んでよい。ＰＬＤは、ＦＰＧＡ（Field-Programmable Gate Array）を含んでよい。制御装置１１０は、１つまたは複数のプロセッサが協働するＳｏＣ（System-on-a-Chip）、およびＳｉＰ（System In a Package）のいずれかであってよい。制御装置１１０は、各種情報、または虚像表示装置１０の各構成部を動作させるためのプログラム等が格納される記憶装置を備えてよい。記憶装置は、例えば半導体メモリ等で構成されてよい。記憶装置は、制御装置１１０のワークメモリとして機能してよい。
【００１８】
遊技筐体６０は、遊技盤６１と、前面パネル６２とを備える。
【００１９】
遊技盤６１は、種々の遊技モードを利用者に対して提供する。遊技盤６１は、各遊技モードに応じた演出を利用者に対して提供する。遊技盤６１は、スロットマシン又はパチンコ台等であってよい。遊技盤６１は、その他の形式の遊技を提供するものであってよい。
【００２０】
前面パネル６２は、遊技盤６１を保護する板である。前面パネル６２は、例えば、アクリル又はガラス等からなる透明なパネルであってよい。前面パネル６２は、他の材質のパネルであってよい。
【００２１】
図２に示されるように、遊技筐体６０は、遊技制御装置１６０をさらに備える。遊技制御装置１６０は、遊技盤６１に接続され、遊技盤６１の遊技モードを制御する。遊技制御装置１６０は、制御装置１１０に接続される。遊技制御装置１６０は、制御装置１１０に対して虚像３１の表示に係る制御情報を出力してよい。
【００２２】
遊技制御装置１６０は、アプリケーションソフトウェアを実行可能なプロセッサまたはマイクロコンピュータ等により構成されうる。遊技制御装置１６０は、制御装置１１０と同様に構成されうる。
【００２３】
第１光学部材４１ｃは、遊技盤６１と前面パネル６２との間に位置する。第１光学部材４１ｃが所定値以上の透過率を有する場合、遊技装置１の利用者は、遊技盤６１に重畳された虚像３１を視認できる。
【００２４】
第１光学部材４１ｂは、所定値以上の透過率を有し、第１光路５１に沿って進む画像光の少なくとも一部を透過させる。第１光学部材４１ｂは、ハーフミラー等の反射部材であってよい。第１光学部材４１ｂは、ビームスプリッタ等の光学素子であってよい。第１光学部材４１ｂを透過した透過光は、一点鎖線で示される第２光路５２に沿って進み、第２領域７２に到達する。言い換えれば、第１光学部材４１の少なくとも１つは、透過光を第２領域７２に到達させる第２光路５２に位置する。
【００２５】
第２領域７２は、利用者以外の者の目５が存在しうる領域である。遊技装置１の利用者以外の者は、第１光学部材４１ｂからの透過光を虚像３２として認識する。第２領域７２は、第１領域７１とは異なる領域であり、遊技装置１の利用者の目４から離れた位置にある。遊技装置１の利用者は、利用者以外の者が第２領域７２で虚像３２を視認しても、気づきにくく、不快に感じにくい。
【００２６】
利用者以外の者は、例えば、遊技装置１のメンテナンスを行う管理者であってよい。管理者は、遊技装置１のメンテナンスの要否を決定するために、画像表示装置２０の表示内容を確認する必要がある。本実施形態に係る遊技装置１によれば、管理者は、遊技装置１が利用されている間でも、利用者に影響を及ぼすことなく、画像表示装置２０の表示内容を確認しうる。遊技装置１が利用されていないときに確認する場合と比較して、管理者は、確認作業の時間帯を自由に決めやすく、コスト削減につながりうる。
【００２７】
（実施形態２）
図３に示されるように、本実施形態に係る虚像表示装置１０は、図１の構成例と比較して、第２光学部材４２をさらに備える。
【００２８】
第１光学部材４１ｃは、所定値以上の透過率を有し、第１光路５１に沿って進む画像光の少なくとも一部を透過させる。第１光学部材４１ｃを透過した透過光は、一点鎖線で示される第２光路５２に沿って進み、第２光学部材４２を経由して第２領域７２に到達する。言い換えれば、第２光学部材４２は、透過光を第２領域７２に到達させる第２光路５２に位置する。
【００２９】
第２光学部材４２は、例えばミラー又はハーフミラー等の反射部材であってよい。第２光学部材４２は、誘電体多層膜等の増反射膜を有する反射部材であってよい。第２光学部材４２の反射率は、種々の値とされてよく、例えば５０％程度の値とされてよいし、１００％に近い値とされてよい。第２光学部材４２は、例えばプリズム等の屈折部材であってよい。第２光学部材４２は、パワーを有してよく、例えば、凹面鏡であってよい。図３において、第２光学部材４２の数は１個であるが、２個以上であってよい。
【００３０】
第２領域７２は、第１領域７１とは異なる領域であり、遊技装置１の利用者の目４から離れた位置にある。実施形態１と同様に、本実施形態に係る遊技装置１の利用者は、利用者以外の者が第２領域７２で虚像３２を視認しても、気づきにくく、不快に感じにくい。本実施形態に係る遊技装置１によれば、第１光学部材４１ｃを透過する画像光は、管理者による画像表示装置２０の表示内容の確認のために有効利用されうる。この結果、利用者が視認する虚像３１の輝度がより高く保たれうる。
【００３１】
（実施形態３）
図４に示されるように、本実施形態に係る虚像表示装置１０は、透過光が複数の第２領域７２に到達するように構成される。虚像表示装置１０は、図３と同様に、第２光学部材４２をさらに備える。
【００３２】
第１光学部材４１ｂは、所定値以上の透過率を有し、第１光路５１に沿って進む画像光の少なくとも一部を透過させる。第１光学部材４１ｂを透過した透過光は、図１と同様に、一点鎖線で示される第２光路５２に沿って進み、第２領域７２に到達する。
【００３３】
第１光学部材４１ｃは、所定値以上の透過率を有し、第１光路５１に沿って進む画像光の少なくとも一部を透過させる。第１光学部材４１ｃを透過した透過光は、図３と同様に、一点鎖線で示される第２光路５２に沿って進み、第２光学部材４２を経由して第２領域７２に到達する。
【００３４】
図４に示される虚像表示装置１０は、第２領域７２が２ヶ所存在するように構成される。このようにすることで、管理者は、画像表示装置２０の表示内容の確認をより容易に行いうる。
【００３５】
第２光学部材４２は、所定値以上の透過率を有し、第２光路５２に沿って進む透過光の少なくとも一部をさらに透過させてよい。このようにすることで、第２領域７２となる領域の数が増やされうる。
【００３６】
（実施形態４）
図５に示されるように、本実施形態に係る虚像表示装置１０は、図１の構成例と比較して、人物検知装置３０をさらに備える。
【００３７】
人物検知装置３０は、カメラ等の撮像装置又はセンサ等の検出装置を備える。人物検知装置３０は、例えば、撮像装置によって撮像された画像から、人物の顔又は目等の特徴点に係る情報を取得してよい。人物検知装置３０は、検出装置から、静脈若しくは虹彩等の生体情報、又は、人物に係るその他の情報等を取得してよい。人物検知装置３０は、第１領域７１及び第２領域７２の少なくとも一方に存在する人物から、特徴点に係る情報又は生体情報等を取得してよい。
【００３８】
図６に示されるように、人物検知装置３０は、制御装置１１０に接続される。制御装置１１０は、人物検知装置３０から、人物の顔又は目等の特徴点に係る情報、又は、静脈若しくは虹彩等の生体情報を取得してよい。制御装置１１０は、人物検知装置３０から取得した情報に基づいて、人物を特定してよい。人物検知装置３０は、人物の特徴点に係る情報又は生体情報と人物との関係を予め取得し、当該関係に基づいて、特定の人物の存在を検知してよい。制御装置１１０は、検知された人物が第１領域７１及び第２領域７２のいずれに存在するか特定してよい。制御装置１１０は、人物検知装置３０から特定の人物が検知されたことを示す人物検知情報を取得してよい。人物検知情報は、検知された特定の人物が第１領域７１及び第２領域７２のいずれに存在するか特定する情報を含んでよい。
【００３９】
制御装置１１０は、特定された人物に応じて、画像表示装置２０に所定の内容を表示させてよい。特定の人物は管理者であってよい。この場合、制御装置１１０は、画像表示装置２０に管理者向けの表示内容を表示させてよい。このようにすることで、管理者が確認作業をしやすくなる。特定の人物は、遊技装置１が設置されている店舗に登録された利用者であってよい。この場合、制御装置１１０は、登録された利用者向けの表示内容を画像表示装置２０に表示させてよい。このようにすることで、利用者向けのサービスが向上されうる。
【００４０】
（実施形態５）
図７に示されるように、図５の構成例と比較して、本実施形態に係る虚像表示装置１０は、光学部材ドライバ４０をさらに備える。図７における虚像表示装置１０は、人物検知装置３０を備えるが、人物検知装置３０を備えない構成とされてよい。
【００４１】
光学部材ドライバ４０は、第１光学部材４１ｃを移動可能に保持する。光学部材ドライバ４０は、モータ又は圧電素子等の駆動素子によって、第１光学部材４１ｃに付した矢印で示されるように、第１光学部材４１ｃを並進方向又は回転方向に駆動しうる。光学部材ドライバ４０は、第１光学部材４１ａ若しくは４１ｂ又は第２光学部材４２を移動可能に保持してよい。
【００４２】
図８に示されるように、光学部材ドライバ４０は、第１光学部材４１ｃを下方向に傾動してよい。第１光学部材４１ｃが下方向に傾動することによって、第１光路５１が第１領域７１から外れて、第１領域７１の下方に向かう。第１領域７１に存在する利用者の目４には、第１光路５１に沿って進む画像光が到達しない。一方で、第２領域７２に存在する管理者の目５には、第２光路５２に沿って進む透過光が到達する。第１光学部材４１ｃが下方向に傾動している場合、画像表示装置２０の表示内容は、利用者に視認されず、管理者に視認される。このようにすることで、管理者だけが画像表示装置２０の表示内容を視認できるようにできる。
【００４３】
図９に示されるように、光学部材ドライバ４０は、制御装置１１０に接続される。制御装置１１０は、光学部材ドライバ４０に対して、第１光学部材４１を駆動する制御指示を出力してよい。虚像表示装置１０が人物検知装置３０を備える場合、制御装置１１０は、特定の人物を検知したか否かに応じて、光学部材ドライバ４０に対して、第１光学部材４１を駆動する制御指示を出力してよい。例えば、制御装置１１０は、人物検知装置３０が特定の人物として管理者を検知した場合、画像表示装置２０の表示内容が利用者から視認できないように、光学部材ドライバ４０に対して、第１光学部材４１ｃを傾動させる制御指示を出力してよい。このようにすることで、利用者にはわからないように、画像表示装置２０の表示内容が管理者向けの内容に変更されうる。
【００４４】
本実施形態に係る構成を言い換えれば、投影側光学部材は、複数の状態をとりうる。図７に示されるように、投影側光学部材が、第１領域７１に画像光が到達するように保持されている状態を第１の状態ともいう。図８に示されるように、投影側光学部材が、第１領域７１に画像光が到達しないように保持されている状態を第２の状態ともいう。投影側光学部材が第２の状態をとる場合でも、第２光路５２に沿って進む透過光は第２領域７２に到達している。投影側光学部材は、第１の状態と第２の状態との間で切り替え可能に構成されるともいえる。
【００４５】
制御装置１１０は、投影側光学部材の状態を切り替えるように、光学部材ドライバ４０に制御指示を出力してよい。制御装置１１０は、人物検知装置３０からの人物検知情報に応じて、投影側光学部材の状態を切り替えてよい。制御装置１１０は、人物検知装置３０で特定された人物が所定の人物である場合に、投影側光学部材を第２の状態に切り替えてよい。制御装置１１０は、人物検知装置３０で特定された人物が第２領域７２に存在する場合に、投影側光学部材を第２の状態に切り替えてよい。
【００４６】
（実施形態６）
図１０に示されるように、虚像表示装置１０は、第２領域７２に、スクリーン７を備えてよい。この場合、第２光路５２に沿って進む透過光がスクリーン７に到達し、スクリーン７で実像を結像するように第２光路５２が構成される。例えば、画像表示装置２０の表示面２１とスクリーン７とが共役な位置となるように、第１光学部材４１ｂとスクリーン７との間にパワーを有する第３光学部材４３が位置してよい。第１光学部材４１ａ又は４１ｂは、パワーを有するように構成されてよい。スクリーン７で実像を結像する場合、管理者の目５が第２領域７２になくても、管理者は、スクリーン７で結像した画像を実像として視認できる。図１に示されるように原画像が虚像３２として視認される場合と比較して、管理者は、より広い範囲から画像表示装置２０の表示内容を視認しうる。このようにすることで、管理者は、画像表示装置２０の表示内容を視認しやすくなる。
【符号の説明】
【００４７】
１  遊技装置
４  利用者の目
５  管理者の目
７  スクリーン
１０  虚像表示装置
２０  画像表示装置
２１  表示面
３０  人物検知装置
３１、３２  虚像
４１（４１ａ〜４１ｃ）  第１光学部材
４２  第２光学部材
４３  第３光学部材
５１  第１光路
５２  第２光路
６０  遊技筐体
６１  遊技盤
６２  前面パネル
７１  第１領域
７２  第２領域
１１０  制御装置
１６０  遊技制御装置
【図１】
2018036342.tif 000003
【図２】
2018036342.tif 000004
【図３】
2018036342.tif 000005
【図４】
2018036342.tif 000006
【図５】
2018036342.tif 000007
【図６】
2018036342.tif 000008
【図７】
2018036342.tif 000009
【図８】
2018036342.tif 000010
【図９】
2018036342.tif 000011
【図１０】
2018036342.tif 000012